(57)【要約】本発明は、固形ガンを患う患者からの腫瘍誘導型リンパ系構造中に存在する濾胞Ｂ細胞の細胞密度の定量を含む、該患者の生存期間の予後診断のためのin vitroの方法であって、高密度の濾胞Ｂ細胞が、患者が予後良好であることを示し、低密度の濾胞Ｂ細胞が、患者が予後不良であることを示す方法に関する。【特許請求の範囲】
【請求項１】
固形ガンを患う患者の生存期間の予後診断のためのin vitroの方法であって、以下の工程：
ａ）腫瘍全体に関して濾胞Ｂ細胞の細胞密度を定量すること、および
ｂ）工程ａ）で得られた濾胞Ｂ細胞の細胞密度の値を、予め決定された参照値と比較すること；および
ｃ）濾胞Ｂ細胞の細胞密度が該予め決定された参照値よりも高い場合、該患者に生存期間の予後良好を提供すること、または
濾胞Ｂ細胞の細胞密度が該予め決定された参照値よりも低い場合、該患者に生存期間の予後不良を提供すること
を含む方法。
【請求項２】
生存期間が、疾患特異的生存期間（ＤＳＳ）、無病生存期間（ＤＦＳ）または全生存期間（ＯＳ）である、請求項１記載の方法。
【請求項３】
さらに、
ａ）腫瘍全体に関して成熟樹状細胞の細胞密度を定量すること、および
ｂ）工程ａ）で得られた成熟樹状細胞の細胞密度の値を、予め決定された参照値と比較すること；および
ｃ）濾胞Ｂ細胞の細胞密度および成熟樹状細胞の細胞密度の両方が該予め決定された参照値よりも高い場合、該患者に生存期間の予後良好を提供すること、
濾胞Ｂ細胞の細胞密度および成熟樹状細胞の細胞密度の両方が該予め決定された参照値よりも低い場合、該患者に生存期間の予後不良を提供すること、または
濾胞Ｂ細胞の細胞密度および成熟樹状細胞の細胞密度の一方の値が該予め決定された参照値よりも低く、他方の値が他方の該予め決定された参照値よりも高い場合、該患者に生存期間の予後中等度を提供すること
を含む、請求項１または２記載の方法。
【請求項４】
腫瘍誘導型リンパ系構造を有する固形ガンが、肺ガン、結腸直腸ガンおよび乳ガンから成る群より選択される、請求項１〜３のいずれか記載の方法。
【請求項５】
腫瘍誘導型リンパ系構造を有する固形ガンが肺ガンである、請求項４記載の方法。
【請求項６】
固形ガンが非小細胞肺ガンである、請求項４記載の方法。
【請求項７】
患者が初期のガン患者である、請求項１〜６のいずれか記載の方法。
【請求項８】
患者が、ネオアジュバント療法もアジュバント療法も受けなかった初期のガン患者である、請求項７記載の方法。
【請求項９】
患者が、進行期のガン患者である、請求項１〜６のいずれか記載の方法。
【請求項１０】
患者が、アジュバント療法を受けている進行期のガン患者である、請求項９記載の方法。
【発明の詳細な説明】
【技術分野】
【０００１】
発明の分野
本発明は、固形ガンを患う患者の生存期間の予後診断のためのin vitroの方法に関する。
【０００２】
発明の背景
Dieu-Nosjeanら（J Clin Oncol 26:4410-4417. 2008）に示されているように、肺ガンは、世界中で最もよく見られるガン関連死の原因である。約８０％〜９０％の症例が、腺ガンおよび扁平上皮ガンを含めた非小細胞肺ガン（ＮＳＣＬＣ）を伴う。腫瘍を完全に切除できる患者にだけ生存期間増大のかなり大きなチャンスがある。しかし、ステージＩの疾患を有する患者の３０％という多数が、術後に再発を経験する。腫瘍浸潤免疫細胞と肺ガン患者の予後との間の相関は、議論の的になっている。
【０００３】
腫瘍は、不均一なネットワークを形成し、複雑な相互作用を示す悪性細胞、間質細胞、内皮細胞、および免疫細胞から構成される。免疫系による腫瘍根絶は非効率な場合が多いが、多数の発生途中のガンが免疫系から無視されないという証拠がある。自己免疫の出現と同時に起こる自然腫瘍退縮、および免疫抑制された患者でのより高い腫瘍発生率は、腫瘍拒絶に免疫系が関与することを指し示している。免疫機能が欠損したマウスは、自然に腫瘍を発生する。細胞傷害性表現型およびメモリー表現型の腫瘍浸潤リンパ球（ＴＩＬ）の密度は、良好な臨床転帰を大いに予測する。しかし、予後はエフェクター免疫細胞のホーミングと関係するものの、特異的な免疫応答の活性化が、腫瘍、流入領域リンパ節、またはその両方のどこで起こるかは、まだ不確かである。免疫応答が二次リンパ器官から距離をおいた三次リンパ系構造（tertiary lymphoid structure）（ＴＬＳ）内で起こりうることは、今や十分に立証されている。Dieu-Nosjeanらは、これらのリンパ節様構造が肺ガン患者に発生する場合があることを観察した。それらの構造は、ＮＳＣＬＣ患者の非腫瘍組織からは全く見出されなかったので、「腫瘍誘導型気管支関連リンパ系組織（Tumor-induced Bronchus-Associated Lymphoid Tissues）」（Ｔｉ−ＢＡＬＴ）と名付けられた。そのうえDieu-Nosjeanらは、Ｔｉ−ＢＡＬＴ中に選択的に検出された集団である成熟ＤＣの密度が、良好な臨床転帰に関連することを実証した。このことは、Ｔｉ−ＢＡＬＴが腫瘍特異的Ｔ細胞にとっての活性化部位に相当することを示唆している。
【０００４】
他のヒト腫瘍（例えば結腸直腸腫瘍および乳房腫瘍（Gobert et al., Cancer Res 2009; 69(5) 2000-2009）にＴＬＳが存在することが報告されており、これは、多数の固形腫瘍に異所性リンパ系構造が生じることを示している。
【０００５】
発明の概要
本発明は、固形ガンを患う患者からの腫瘍誘導型リンパ系構造中に存在する濾胞Ｂ細胞の細胞密度の定量を含む、該患者の生存期間の予後診断のためのin vitroの方法であって、高密度の濾胞Ｂ細胞が、患者が予後良好であることを示し、低密度の濾胞Ｂ細胞が、患者が予後不良であることを示す方法に関する。
【０００６】
本発明は、固形ガン患者の生存期間の予後診断のための新規な方法を提供する。この方法は、現在使用されている病期分類法（例えばＵＩＣＣ−ＴＮＭ）よりも正確さが高いので、生存期間に反映されるような患者に起こりそうなガンの経過または転帰を正確かつ精密に予測するという、当業界において長い間感じられてきたずっと続いている必要性を満たしている。そのようにできると、医師がガンの処置プロトコールを特定の患者に個別に適合させることができるようになる。本発明の方法によると、良好な治療転帰の可能性が高い患者は、転帰良好を経験するために最も攻撃的な処置を受ける必要がない場合があり、したがってそのような処置に関連する副作用を回避または最小化することができる一方で、予後不良の患者は、その疾患のできるだけ初期に、または使用された治療とは別の治療で、攻撃的に処置することができる。
【０００７】
発明の詳細な説明
本発明は、固形ガンを患う患者の生存期間の予後診断のためのin vitroの方法であって、以下の段階：
ａ）腫瘍全体に関して濾胞Ｂ細胞の細胞密度を定量する段階、および
ｂ）段階ａ）で得られた濾胞Ｂ細胞の細胞密度の値を、予め決定された参照値と比較する段階；および
ｃ）濾胞Ｂ細胞の細胞密度が該予め決定された参照値よりも高い場合、該患者に生存期間の予後良好を提供する段階、または
濾胞Ｂ細胞の細胞密度が該予め決定された参照値よりも低い場合、該患者に生存期間の予後不良を提供する段階
を含む方法に関する。
【０００８】
腫瘍誘導型リンパ系構造は、腫瘤間質中のリンパ節様構造への腫瘍浸潤白血球の組織化を意味し、成熟樹状細胞−Ｔ細胞クラスター（Ｔ細胞領域）およびＢ細胞濾胞（Ｂ細胞領域）から構成される。典型的には、腫瘍切片別に２つの領域の１つだけまたは両方の領域を観察することができる。
【０００９】
濾胞Ｂ細胞は、Ｂ細胞濾胞内に集積したＢ細胞サブセットを意味する。それらの細胞は主に無感作であり、胚中心表現型である。
【００１０】
生存期間は、疾患特異的生存期間（ＤＳＳ）、無病生存期間（ＤＦＳ）または全生存期間（ＯＳ）でありうる。
【００１１】
本発明は、外科的処置され、続いて必要に応じて適切な処置（放射線療法、化学療法および／またはホルモン療法など）を受けた患者の再発リスクの評価を可能にする。
【００１２】
本発明による予後診断の方法は、単独で、または病期、人口統計学的および人体計測的パラメーター、日常的な臨床検査もしくは検査室検査の結果（腫瘍サイズ、組織予後段階付け、ホルモンレセプター、腫瘍型（oncotype）など)を含めた、固形ガンの予後判定のためにすでに使用された任意の他の方法と組み合わせて、使用することができる。
【００１３】
好ましい一態様では、本発明の方法は、さらに、
ａ）腫瘍全体に関して成熟樹状細胞の細胞密度を定量する段階、および
ｂ）段階ａ）で得られた成熟樹状細胞の細胞密度の値を、予め決定された参照値と比較する段階；および
ｃ）濾胞Ｂ細胞の細胞密度および成熟樹状細胞の細胞密度の両方が該予め決定された参照値よりも高い場合、該患者に生存期間の予後良好を提供する段階、
濾胞Ｂ細胞の細胞密度および成熟樹状細胞の細胞密度の両方が該予め決定された参照値よりも低い場合、該患者に生存期間の予後不良を提供する段階、または
濾胞Ｂ細胞の細胞密度および成熟樹状細胞の細胞密度の一方の値が該予め決定された参照値よりも低く、他方の値が他方の該予め決定された参照値よりも高い場合、該患者に生存期間の予後中等度を提供する段階
を含む。
【００１４】
成熟樹状細胞は、プロセシングされた抗原をＴ細胞に提示するための専門の樹状細胞集団を意味する。腫瘍浸潤性の成熟樹状細胞は、腫瘍誘導型リンパ系構造のＴ細胞豊富な領域内でＴ細胞と選択的に接触して位置する。
【００１５】
典型的には、濾胞Ｂ細胞の密度および成熟樹状細胞の密度は、例えば生検によって得られた試料の腫瘍切片（凍結組織切片またはパラフィン包埋組織切片）で行われた免疫組織化学検査によって測定することができる。
【００１６】
本発明の一態様では、総Ｂ細胞は、ＣＤ２０分子に対する抗体を用いた免疫組織化学検査によって検出される。総Ｂ細胞のうち濾胞Ｂ細胞は、選択的に腫瘍全体の切片から計数される。
【００１７】
本発明の一態様では、成熟樹状細胞は、ＤＣ−Ｌａｍｐ（ＣＤ２０８）分子に対する抗体を用いた免疫組織化学検査によって検出される。成熟樹状細胞は、全腫瘍切片から計数される。細胞密度は、腫瘍切片の表面積１単位あたりで計数された細胞数として、例えば中倍率１視野（本来の倍率：×１００）または腫瘍表面積１mm2あたりで計数された細胞数として、表現することができる。
【００１８】
濾胞Ｂ細胞は、Ｂ細胞濾胞内で細胞凝集体に組織化され、Ｂ細胞濾胞内に存在する総細胞の９８％超を占めるので、濾胞Ｂ細胞の密度は、また、腫瘍の表面積１単位あたりのＢ細胞濾胞の総表面積として、例えば中倍率１視野（本来の倍率：×１００）または腫瘍表面積１mm2あたりのＢ細胞濾胞の表面積（mm2）として測定することができる。
【００１９】
典型的には、濾胞Ｂ細胞の細胞密度および成熟樹状細胞の細胞密度についての予め決定された参照値は、ガン患者に関する大規模研究に統計的方法を適用することによって決定することができる。
【００２０】
腫瘍誘導型リンパ系構造を有する固形ガンの例は、肺ガン、結腸直腸ガンおよび乳ガンである。
【００２１】
好ましい一態様では、固形ガンは肺ガンである。
【００２２】
より好ましい一態様では、固形ガンは非小細胞肺ガンである。
【００２３】
本発明の一態様では、患者は、病期Ｉのガンなどの初期のガン患者である。
【００２４】
本発明の一代替態様では、患者は、進行期のガン（最大で病期ＩＩＩｂのガン）を有する手術可能な患者である。
【００２５】
乳ガンおよび結腸直腸ガンの病期は、例えばUICC. TNM Classification of Malignant Tumours. 6th ed. Sobin LH, Wittekind Ch (eds) Wiley-Liss: New York, 2002に定義されている。
【００２６】
本発明の一態様では、患者は、化学療法および／または放射線療法などの、ネオアジュバント療法もアジュバント療法も受けなかった初期のガン患者である。
【００２７】
本発明の一代替態様では、患者は、化学療法および／または放射線療法などの、ネオアジュバント療法と共にまたはネオアジュバント療法なしにアジュバント療法を受けている、進行期のガン患者である。
【００２８】
以下に、以下の実施例ならびに表および図面によって本発明を説明する。
【図面の簡単な説明】
【００２９】
【図１】Ｔｉ−ＢＡＬＴ内外のＢ細胞サブセットの特徴づけを示す図である。パラフィン包埋リンパ節切片（左欄）および肺腫瘍切片（右欄）の単（Ａ〜Ｂ、Ｅ〜Ｆ、Ｍ〜Ｎ）免疫染色および二重（Ｃ〜Ｄ、Ｇ〜Ｌ）免疫染色。Ｔｉ−ＢＡＬＴのＢ細胞領域は、胚中心周辺のＩｇＤ＋無感作Ｂ細胞のマントル（濃灰色、Ｂ）によって構成されているので、反応性リンパ節の二次濾胞の特徴を表す。リンパ節と同様に、ＣＤ２０＋胚中心Ｂ細胞（濃灰色、Ｄ、Ｈ、Ｊ、Ｌ）は、ＣＤ２３（黒、Ｄ）、ＡＩＤ（濃灰色、Ｆ）、Ｋｉ６７（黒、Ｈ）、およびＢｃｌ６（濃色、Ｊ）を発現するが、Ｂｃｌ２（黒、Ｌ）を発現しない。ＣＤ１３８＋形質細胞（濃灰色）は、間質反応のみで検出されるが（Ｎ）、Ｔｉ−ＢＡＬＴでは決して検出されない（データは示さず）。本来の倍率：（Ａ〜Ｄ、Ｋ〜Ｌ）、×１００；（Ｅ〜Ｊ、Ｍ〜Ｎ）、×２００。略語：Ｔ＝腫瘍胞巣。
【図２Ａ】肺腫瘍、通常の二次リンパ器官および末梢血に浸潤しているＢ細胞サブセットの比較を示す図である。肺腫瘍（ｎ＝７）、リンパ節（ｎ＝３）および末梢血（ｎ＝５）に関するＣＤ１９＋ＣＤ１４− Ｂ細胞サブセットのフローサイトメトリー分析。３ヶ所でのＩｇＤおよびＣＤ３８の発現に基づくＢ細胞サブセットの代表的なドットプロット（Ａ）および平均（Ｂ）。各バーは、異なる試料の平均±ＳＤを表す。部位間のＢ細胞サブセットの統計的有意性は、マン−ホイットニー検定によって計算した。＊：Ｐ＜０．０５。（Ｃ）異なる分化段階の無感作Ｂ細胞（ＣＤ２３−ＣＤ２７−ＣＤ３８− Ｂｍ１およびＣＤ２３＋ＣＤ２７−ＣＤ３８− Ｂｍ２、左欄）、胚中心Ｂ細胞（ＣＤ２３−ＣＤ２７−ＣＤ７７＋ＣＤ３８＋ Ｂｍ３およびＣＤ２３−ＣＤ２７−ＣＤ７７−ＣＤ３８＋ Ｂｍ４、中央欄）およびメモリーＢ細胞（ＣＤ２３−ＣＤ２７＋ＣＤ３８＋早期Ｂｍ５およびＣＤ２３−ＣＤ２７＋ＣＤ３８−後期Ｂｍ５、右欄）の比の比較。略語：ｐｒｅ−ＧＣ＝プレ胚中心；ＧＣ＝胚中心。
【図２Ｂ】肺腫瘍、通常の二次リンパ器官および末梢血に浸潤しているＢ細胞サブセットの比較を示す図である。肺腫瘍（ｎ＝７）、リンパ節（ｎ＝３）および末梢血（ｎ＝５）に関するＣＤ１９＋ＣＤ１４− Ｂ細胞サブセットのフローサイトメトリー分析。３ヶ所でのＩｇＤおよびＣＤ３８の発現に基づくＢ細胞サブセットの代表的なドットプロット（Ａ）および平均（Ｂ）。各バーは、異なる試料の平均±ＳＤを表す。部位間のＢ細胞サブセットの統計的有意性は、マン-ホイットニー検定によって計算した。＊：Ｐ＜０．０５。（Ｃ）異なる分化段階の無感作Ｂ細胞（ＣＤ２３−ＣＤ２７−ＣＤ３８− Ｂｍ１およびＣＤ２３＋ＣＤ２７−ＣＤ３８− Ｂｍ２、左欄）、胚中心Ｂ細胞（ＣＤ２３−ＣＤ２７−ＣＤ７７＋ＣＤ３８＋ Ｂｍ３およびＣＤ２３−ＣＤ２７−ＣＤ７７−ＣＤ３８＋ Ｂｍ４、中央欄）およびメモリーＢ細胞（ＣＤ２３−ＣＤ２７＋ＣＤ３８＋早期Ｂｍ５およびＣＤ２３−ＣＤ２７＋ＣＤ３８−後期Ｂｍ５、右欄）の比の比較。略語：ｐｒｅ−ＧＣ＝プレ胚中心；ＧＣ＝胚中心。
【図２Ｃ】肺腫瘍、通常の二次リンパ器官および末梢血に浸潤しているＢ細胞サブセットの比較を示す図である。肺腫瘍（ｎ＝７）、リンパ節（ｎ＝３）および末梢血（ｎ＝５）に関するＣＤ１９＋ＣＤ１４− Ｂ細胞サブセットのフローサイトメトリー分析。３ヶ所でのＩｇＤおよびＣＤ３８の発現に基づくＢ細胞サブセットの代表的なドットプロット（Ａ）および平均（Ｂ）。各バーは、異なる試料の平均±ＳＤを表す。部位間のＢ細胞サブセットの統計的有意性は、マン−ホイットニー検定によって計算した。＊：Ｐ＜０．０５。（Ｃ）異なる分化段階の無感作Ｂ細胞（ＣＤ２３−ＣＤ２７−ＣＤ３８− Ｂｍ１およびＣＤ２３＋ＣＤ２７−ＣＤ３８− Ｂｍ２、左欄）、胚中心Ｂ細胞（ＣＤ２３−ＣＤ２７−ＣＤ７７＋ＣＤ３８＋ Ｂｍ３およびＣＤ２３−ＣＤ２７−ＣＤ７７−ＣＤ３８＋ Ｂｍ４、中央欄）およびメモリーＢ細胞（ＣＤ２３−ＣＤ２７＋ＣＤ３８＋早期Ｂｍ５およびＣＤ２３−ＣＤ２７＋ＣＤ３８−後期Ｂｍ５、右欄）の比の比較。略語：ｐｒｅ−ＧＣ＝プレ胚中心；ＧＣ＝胚中心。
【図３Ａ】ＮＳＣＬＣ患者におけるＴｉ−ＢＡＬＴ Ｂ細胞の予後値を示す図である。（Ａ）ＤＣ−Ｌａｍｐ＋成熟ＤＣの密度と濾胞ＣＤ２０＋ Ｂ細胞の密度との間の相関（どちらの集団もＴｉ−ＢＡＬＴに位置する）。ＣＤ２０＋濾胞Ｂ細胞（Ｂ）、ＤＣ−Ｌａｍｐ＋成熟ＤＣ（Ｃ）、および両方の細胞集団（Ｄ）の密度別の、初期ＮＳＣＬＣ患者７４人についての疾患特異的生存率のカプラン−マイヤー曲線。Ｐ値は、ログランク検定を用いて決定した。略語：ＤＳＳ＝疾患特異的生存率。
【図３Ｂ】ＮＳＣＬＣ患者におけるＴｉ−ＢＡＬＴ Ｂ細胞の予後値を示す図である。（Ａ）ＤＣ−Ｌａｍｐ＋成熟ＤＣの密度と濾胞ＣＤ２０＋ Ｂ細胞の密度との間の相関（どちらの集団もＴｉ−ＢＡＬＴに位置する）。ＣＤ２０＋濾胞Ｂ細胞（Ｂ）、ＤＣ−Ｌａｍｐ＋成熟ＤＣ（Ｃ）、および両方の細胞集団（Ｄ）の密度別の、初期ＮＳＣＬＣ患者７４人についての疾患特異的生存率のカプラン−マイヤー曲線。Ｐ値は、ログランク検定を用いて決定した。略語：ＤＳＳ＝疾患特異的生存率。
【図３Ｃ】ＮＳＣＬＣ患者におけるＴｉ−ＢＡＬＴ Ｂ細胞の予後値を示す図である。（Ａ）ＤＣ−Ｌａｍｐ＋成熟ＤＣの密度と濾胞ＣＤ２０＋ Ｂ細胞の密度との間の相関（どちらの集団もＴｉ−ＢＡＬＴに位置する）。ＣＤ２０＋濾胞Ｂ細胞（Ｂ）、ＤＣ−Ｌａｍｐ＋成熟ＤＣ（Ｃ）、および両方の細胞集団（Ｄ）の密度別の、初期ＮＳＣＬＣ患者７４人についての疾患特異的生存率のカプラン−マイヤー曲線。Ｐ値は、ログランク検定を用いて決定した。略語：ＤＳＳ＝疾患特異的生存率。
【図３Ｄ】ＮＳＣＬＣ患者におけるＴｉ−ＢＡＬＴ Ｂ細胞の予後値を示す図である。（Ａ）ＤＣ−Ｌａｍｐ＋成熟ＤＣの密度と濾胞ＣＤ２０＋ Ｂ細胞の密度との間の相関（どちらの集団もＴｉ−ＢＡＬＴに位置する）。ＣＤ２０＋濾胞Ｂ細胞（Ｂ）、ＤＣ−Ｌａｍｐ＋成熟ＤＣ（Ｃ）、および両方の細胞集団（Ｄ）の密度別の、初期ＮＳＣＬＣ患者７４人についての疾患特異的生存率のカプラン−マイヤー曲線。Ｐ値は、ログランク検定を用いて決定した。略語：ＤＳＳ＝疾患特異的生存率。
【図４】ネオアジュバント化学療法を受けた末期ＮＳＣＬＣ患者における成熟ＤＣの予後値を示す図である。腫瘍浸潤ＤＣ−Ｌａｍｐ＋成熟ＤＣの密度別の、患者５６人の疾患特異的生存率のカプラン−マイヤー曲線。ログランク検定を用いて２群の患者間での有意差を評価した。低ＤＣ−Ｌａｍｐ腫瘍を有する患者についてのＤＳＳ中央値は１７ヶ月であったが、一方で高ＤＣ−Ｌａｍｐ腫瘍を有すると特徴づけられた患者については３６ヶ月であった。＜０．０５の場合にＰ値は有意。
【図５】ネオアジュバント化学療法を受けた末期ＮＳＣＬＣ患者における腫瘍浸潤濾胞Ｂ細胞および／または成熟ＤＣの予後値を示す図である。腫瘍浸潤性（Ａ）ＣＤ２０＋濾胞Ｂ細胞、（Ｂ）ＤＣ−Ｌａｍｐ＋成熟ＤＣ、または（Ｃ）ＣＤ２０＋濾胞Ｂ細胞およびＤＣ−Ｌａｍｐ＋成熟ＤＣの両方の高または低密度の存在別の、ネオアジュバント化学療法によって処置された進行期ＮＳＣＬＣ患者１２２人の全生存率のカプラン−マイヤー曲線。ログランク検定を用いて患者群間の有意差を評価した。＜０．０５の場合にＰ値は有意。略語：ＯＳ＝全生存率。
【００３０】
表
表１．「低Ｆｏｌｌ−Ｂ細胞」腫瘍を有する患者と「高Ｆｏｌｌ−Ｂ細胞」腫瘍を有する患者における臨床パラメーター、組織パラメーターおよび免疫パラメーター
それぞれＴＮＭ病期分類システム（Piemonte. NY, Wiley-Liss, 2002）およびＷＨＯ組織分類（Brambilla et al., Eur Respir. J., 2001）にしたがって、肺ガンの病期および組織型を決定した。略語：ＮＳＣＬＣ＝非小細胞肺ガン；ＡＤＣ＝腺ガン；ＳＣＣ＝扁平上皮ガン；ｐＴＮＭ＝病理学的ＴＮＭ。全てのパラメーターは７４例の初期ＮＳＣＬＣの間で評価した。Ｐ値は、フィッシャー正確確率検定およびボンフェローニ−ダン検定を用いて得られた。略語：ＳＥＭ＝測定値の標準誤差
【００３１】
【表１】
2015505608.tif 000002
【００３２】
表２．後ろ向き試験に算入されたＮＳＣＬＣ患者の臨床特徴および病理学的特徴
肺ガンの病期分類および組織型は、それぞれＴＮＭ病期分類システム（Piemonte. NY, Wiley-Liss, 2002）およびＷＨＯ組織分類（Brambilla et al., Eur Respir. J., 2001）にしたがって決定した。略語：ＮＳＣＬＣ＝非小細胞肺ガン；ＡＤＣ＝腺ガン；ＳＣＣ＝扁平上皮ガン；ｐＴＮＭ＝病理学的ＴＮＭ。
【００３３】
【表２】
2015505608.tif 000003
【００３４】
表３．ネオアジュバント化学療法によって処置された進行疾患患者に関する単変量解析における生存期間についての予後パラメーター
【００３５】
【表３】
2015505608.tif 000004
【００３６】
実施例
以下の説明において、詳細なプロトコールが示されていない全ての分子生物学実験は、標準プロトコールにしたがって行われている。
【００３７】
略語
ＡＤＣ＝腺ガン；ＢＡＬＴ＝気管支関連リンパ系組織；ＤＣ＝樹状細胞；ＮＳＣＬＣ＝非小細胞肺ガン；ＳＣＣ＝扁平上皮ガン；ＴＩＬ＝腫瘍浸潤リンパ球。
【００３８】
実施例１
概要
本研究の目的は、防御液性免疫応答がＴｉ−ＢＡＬＴ内で起こるかどうかを決定することであった。
【００３９】
本実施例において本発明者らは、一連のＮＳＣＬＣ患者１０４人に関して補足的アプローチ（免疫組織化学検査、フローサイトメトリー、レーザキャプチャーマイクロダイセクション、ＰＣＲ低密度アレイ）を使用することによってＢ細胞の分化およびＴｉ−ＢＡＬＴへの移動を研究した。本発明者らは、Ｔｉ−ＢＡＬＴのＢ細胞濾胞が古典的二次リンパ器官と同じ細胞組成および組織化を表すことを示した。腫瘍浸潤Ｂ細胞の中から全ての分化段階を検出することができた。関心がもたれることに、主要なＢ細胞区画は、エフェクター細胞（メモリーＢ細胞および形質細胞）を含む区画であった。本発明者らは、また、体細胞突然変異およびアイソタイプスイッチ機構がＢｍ３細胞およびＢｍ４細胞の存在に応じてＴｉ−ＢＡＬＴのＢ細胞濾胞内で活性化することを示した。本発明者らは、また、この移動を編成している化学誘引物質を同定するために、Ｔｉ−ＢＡＬＴへのＢ細胞動員を研究した。関心がもたれることに、腫瘍内のＰＮＡｄ＋高内皮性細静脈は、Ｔｉ−ＢＡＬＴのみと関連していた。通常の二次リンパ器官について報告されたのと同様に、ＰＮＡｄ＋リガンドであるＣＤ６２Ｌは、胚中心Ｂ細胞以外の全てのＢ細胞を含む大部分のＴｉ−ＢＡＬＴリンパ球上から選択的に検出された。ケモカインレセプタープロファイルの分析から、ＣＸＣＲ５が無感作Ｂ細胞によって発現されることが示された。これは、その独特なリガンドであるＣＸＣＬ１３がＴｉ−ＢＡＬＴのＢ細胞領域内に発現していることに対応している。最終的に、完全に分化したＢ細胞上ではＣＸＣＲ５の発現が減少した。これは、リンパ節において以前に記載されたように、エフェクター細胞を胚中心から離れさせる公知の重要な調節過程である。
【００４０】
最終的に本発明者らは、Ｔｉ−ＢＡＬＴ Ｂ細胞の密度が肺ガン患者についての長期生存と相関することを実証した。
【００４１】
まとめると、これらのデータは、Ｔｉ−ＢＡＬＴが適応免疫応答の誘導およびメモリー樹立に専門化された部位である古典的リンパ器官と強い類似性を表すことを示している。したがって、Ｔｉ−ＢＡＬＴは、防御液性免疫を開始するための活性部位に相当する。濾胞Ｂ細胞の定量は、高リスク患者の同定を可能にするであろう。
【００４２】
材料および方法
患者
新鮮肺腫瘍試料およびパラフィン包埋肺腫瘍試料は、Institut Mutualiste Montsouris病院、Hotel Dieu病院、Tenon病院およびEuropean Georges Pompidou病院（Paris, France）で手術を受けているＮＳＣＬＣ患者から得た。患者の術前評価には、肺、脳、および副腎のＣＴスキャンならびに肝臓超音波検査が含まれた。全ての患者は、多重レベルリンパ節サンプリングまたはリンパ節切除を含めた腫瘍の完全な外科的切除を受けたが、術前化学療法も術前放射線療法も受けた患者はいなかった。Eastern Cooperative Oncology Groupのパフォーマンスステータス（Finkelstein et al., JCO, 1988）≦１の患者が適格であった。後ろ向き試験のために、１９９８から２００２年の間に初期ＮＳＣＬＣを有すると診断された（Mountain, Cancer Chest, 1997）一連の患者７４人から、腫瘍および隣接する肺実質の代表的な領域を有するパラフィン包埋腫瘍生検を回収した。後ろ向き試験のための患者の主な臨床特徴および病理学的特徴を表２に示す。混合型の組織学的特徴、Ｔ３腫瘍または胸膜浸潤を有する患者は不適格であった。試験の完了時に、コホートに算入された最後の患者についての最短の臨床経過観察は４８ヶ月であった。非腫瘍性リンパ節は、心臓病を患う患者から手術後に得た。末梢血は、「国立輸血センター（Centre National de la Transfusion Sanguine）」（Paris, France）で健康志願者から得た。プロトコールは、フランス法律Ｌ．１１２１−１条を適用して地域のヒト対象研究倫理委員会（番号２００８−１３３）および公的扶助パリ病院（Assistance Publique-Hopitaux de Paris）（ＡＰ−ＨＰ）によって承認された。試験への算入前に患者から書面のインフォームドコンセントを得た。
【００４３】
免疫組織化学検査
パラフィン包埋肺腫瘍の連続５μm組織切片を脱パラフィンし、再水和させ、抗原賦活化に適した緩衝液中で前処理した。次に、切片を５％ヒト血清と共に３０分間インキュベーションし、その後適切な抗体またはアイソタイプ対照を添加した。以前に記載されたように酵素活性を明らかにした（MCD, JCO, 2008）。必要ならば、切片をヘマトキシリンで対比染色した。Nikon NIS Elements BRソフトウェアで作動させたNikon Eclipse 80i顕微鏡（Nikon, Champigny-sur-Marne, France）を使用して画像を取得した。
【００４４】
細胞定量方法
細胞定量は、Nikon NIS Elements BRソフトウェアで作動させたNikon Eclipse 80i顕微鏡を使用して組織切片全体（本来の倍率：×１００）の腫瘍領域から定量的に測定した。Ｔｉ−ＢＡＬＴの濾胞Ｂ細胞の密度は、腫瘍中倍率１視野（ＩＰＦ）あたりの濾胞ＣＤ２０＋ Ｂ細胞表面積として表現し、ＳＥＭを計算した。ＤＣ−Ｌａｍｐ＋成熟ＤＣ数は、上記細胞数よりも少なく、本発明者らは定量的な計数を実現することができた（腫瘍ＩＰＦあたりの平均ＤＣ＋ＳＥＭ計算値）。病理学者による標準的な評価により、壊死および線維化は腫瘤切片全体に対する陽性領域のパーセンテージとして計数した。
【００４５】
腫瘍浸潤リンパ球の濃縮
新鮮な肺腫瘍標本を機械的に解離させ、非酵素溶液（Cell Recovery solution, BD Biosciences, Le Pont-de-Claix, France）に入れて４℃で１時間インキュベーションした。次に、７０μmフィルター（BD Biosciences）に細胞懸濁液を通過させて濾過し、単核細胞をFicoll Hypaque上で遠心分離することによって単離した。
【００４６】
フローサイトメトリー
Ｂ細胞マーカーに対する抗体を使用して多重染色を行った。簡潔には、２％ヒト血清を浸潤させた後、単核細胞を一次抗体または適切なアイソタイプ対照と共に暗条件において＋４℃で３０分間インキュベーションした。次に、細胞を洗浄し、１％ホルムアルデヒド中で固定後、LSRII血球計算器（BD Biosciences）で分析した。フローサイトメトリーのデータはDivaソフトウェア（BD Biosciences）で解析した。
【００４７】
腫瘍浸潤Ｂ細胞のex vivo培養
総腫瘍浸潤Ｂ細胞をポジティブ選択により単核細胞から単離した。簡潔には、細胞を抗ＣＤ１９マイクロビーズ（Miltenyi Biotec）の存在下でインキュベーションし、次にMacsカラム（Miltenyi Biotec）上にロードした。新鮮単離されたＢ細胞を、パンソルビン（Staphylococcus aureus細胞抽出物、Calbiochem）またはマウスＣＤ４０リガンドをトランスフェクションされた線維芽細胞系（ＣＤ４０−Ｌ Ｌ細胞は親切にもSchering-Plough, Laboratory for Immunological Research, Dardilly, Franceによって提供された）の存在下で培養した。上清を３日毎に９日目まで回収し、凍結保存した。
【００４８】
統計解析
統計解析のために考慮された変数には、臨床パラメーター（年齢、性別、喫煙、腫瘍の再発、および生命状態）、組織病理学的パラメーター（組織学、ｐＴＮＭ、腫瘍の分化度、原発腫瘍の位置、壊死、線維化、腫瘍の増殖）および免疫学的パラメーター（上記マーカー参照）が含まれた。単変量解析を行うために、以下のカットオフが指定された陽性細胞密度の二峰性分布に応じて患者の群を定義した。（濾胞ＣＤ２０＋ Ｂ細胞：０．０２９mm2／腫瘍ＩＰＦ、ＤＣ−Ｌａｍｐ：平均細胞１．６５個／腫瘍ＩＰＦ）。イエーツの補正を行うχ２乗検定およびＡＮＯＶＡ検定（フィッシャーおよびボンフェローニ法を用いた事後検定）を単変量解析に使用した。疾患特異的生存率（ＤＳＳ）曲線は、カプラン−マイヤー法によって推定し、患者群間の有意差はログランク検定によって評価した。ＯＳに影響を及ぼす事象は任意の原因による死亡と、ＤＳＳに影響を及ぼす事象はＮＳＣＬＣによる死亡と、ＤＦＳに影響を及ぼす事象は原発腫瘍の再発と定義した。統計解析はStatViewソフトウェアを使用して行った。Ｐ値＜０．０５を統計的に有意と見なした。
【００４９】
結果
１  Ｔｉ−ＢＡＬＴは二次リンパ器官において観察されたものと同じ免疫細胞の代表団を含む
Ｔｉ−ＢＡＬＴのＢ細胞区画の役割を研究するために、本発明者らは最初に、免疫組織化学検査によってＢ細胞およびＢ細胞がこれらの三次リンパ系構造内で接触しているであろう他の免疫細胞を特徴づけた。通常のリンパ器官において記載されたのと同様に、本発明者らは、ＣＤ３＋ Ｔ細胞およびＤＣ−Ｌａｍｐ＋成熟ＤＣは密集してＴ細胞に富む領域を形成するが、大部分のＣＤ２０＋Ｂ細胞はＢ濾胞内に隔離されていることを観察した。Ｂ細胞領域内に異なる非Ｂ細胞が存在した。本発明者らは、ＣＤ３＋Ｔ細胞（おそらく濾胞ヘルパーＴ細胞を表す）、濾胞樹状細胞（ネットワークを構築している）、および専門集団のＣＤ６８＋マクロファージ（タンジブルボディーマクロファージとも呼ばれる）が少数しかないことを検出した。
【００５０】
結論として、Ｔｉ−ＢＡＬＴ内への免疫細胞の隔離は、二次リンパ器官において観察されたものと同じであり、これは、免疫応答がヒト肺ガンの異所性リンパ系構造内で起こりうることを示唆している。
【００５１】
２  Ｔｉ−ＢＡＬＴのＢ細胞領域は進行中の液性免疫応答の特徴を有する
Ｔ細胞領域とＢ細胞領域との隔離は、高親和性クラススイッチ抗体およびメモリー液性免疫応答の両方の発生に絶対に必要である。したがって本発明者らは、肺腫瘍内のＢ細胞の分化段階を判定し、それを二次リンパ器官と比較した。免疫組織化学検査により、本発明者らは最初に、D. Capra博士（Pascual et al., J. Exp. Med., 1994）によって提唱されたＢｍ分類にしたがってＢ細胞サブセットを特徴づけた。リンパ節の二次濾胞において観察されたのと同様に（図１Ａ）、本発明者らは、マントルと呼ばれる限られた領域内にＩｇＤ＋無感作Ｂ細胞が蓄積していることを示した（図１Ｂ）。このマントルは、ＣＤ２３＋細胞の存在によって確定されるように胚中心（ＧＣ）を取り巻き、濾胞樹状細胞およびＢｍ２無感作Ｂ細胞のネットワークを含んでいた（図１Ｃ〜Ｄ）。ＧＣ−Ｂ細胞は、また、免疫グロブリン（Ｉｇ）遺伝子の体細胞超突然変異、クラススイッチ組換えおよび遺伝子変換に重要な酵素であるＡＩＤの発現によって特徴づけられた（図１Ｅ〜Ｆ）。同様に、Ｔｉ−ＢＡＬＴおよびリンパ節においてＧＣ−Ｂ細胞は増殖マーカーＫｉ６７（図１Ｇ〜Ｈ）およびＢｃｌ６（図１Ｉ〜Ｊ）に対して陽性であったが、抗アポトーシスタンパク質Ｂｃｌ２（図１Ｋ〜Ｌ）を発現しなかった。リンパ節で見られた状況と一致して（図１Ｍ）、ＣＤ１３８の発現に基づきＴｉ−ＢＡＬＴのＢ濾胞から形質細胞（ＰＣ）は検出されなかった（データは示さず）。しかし、腫瘍の間質および線維化部からＣＤ１３８＋ ＰＣが観察された（図１Ｎ）。
【００５２】
次に本発明者らは、さらに、フローサイトメトリーによって腫瘍内Ｂ細胞サブセットの比率をリンパ節および末梢血と比較した。総ＣＤ１９＋細胞間のＩｇＤおよびＣＤ３８の発現別に、ＮＳＣＬＣにおける５種のＢ細胞サブセットの分布は、リンパ節および血液と完全に異なった（図２Ａ）。血液およびＬＮ−Ｂ細胞は、主に無感作表現型およびメモリー表現型（それぞれ低ＩｇＤ＋ＣＤ３８無感作Ｂ細胞、低ＩｇＤ−ＣＤ３８メモリーＢ細胞）であった。血液およびリンパ節とは対照的に、Ｂ細胞分化の各段階がＮＳＣＬＣから検出された。本発明者らは、ＮＳＣＬＣ中のメモリーＢ細胞およびＰＣのパーセンテージが他の２つの部位よりも統計的に高く、無感作Ｂ細胞のパーセンテージは低かったことを示した（図２Ｂ；血液、リンパ節およびＮＳＣＬＣ中のメモリー細胞は１８％、４８％、および６２％；ＰＣは１％、０．５％および２８％；無感作Ｂ細胞は７５％、４２％および４％）。追加的なＢ細胞マーカー（ＣＤ２３、ＣＤ２７、ＣＤ７７）のディファレンシャルな発現から、本発明者らはＮＳＣＬＣおよびリンパ節中の無感作Ｂ細胞（Ｂｍ１およびＢｍ２）、ＧＣ Ｂ細胞（Ｂｍ３およびＢｍ４）およびメモリーＢ細胞（早期Ｂｍ５および後期Ｂｍ５）のサブセットの分布を研究することができた。図２Ｃに示すように、２つの部位間の主な差異は、肺腫瘍でＢｍ１の方に傾いていた比Ｂｍ１／Ｂｍ２であった。分析されたその他の比（Ｂｍ３／Ｂｍ４および早期Ｂｍ５／後期Ｂｍ５）は、２つの解剖学的部位で統計的に違いはなかった。
【００５３】
まとめると、これらのデータは、腫瘍浸潤Ｂ細胞の分化段階がそれらのその場の局在、すなわち異所性リンパ系構造の内か外かに基づくことを実証している。早期分化Ｂ細胞は、体細胞突然変異およびアイソタイプスイッチ機構が活性化しているＴｉ−ＢＡＬＴのＢ濾胞内に組織化される。これは、Ｔｉ−ＢＡＬＴがメモリーＢ細胞および抗体分泌細胞の生成のための活性部位でありうることを示唆している。
【００５４】
３  濾胞Ｂ細胞の密度は長期生存と相関しており、その予後値は成熟ＤＣの密度と関連されると高まる
一部の肺腫瘍における反応性Ｂ濾胞の存在が、本発明者らを反応性Ｂ濾胞の免疫学的機能を検討するよう促した。本発明者らは、成熟ＤＣの密度が良好な臨床転帰と関連したことを示したので（Dieu-Nosjean et al., J. Clin. Oncol., 2008）、本発明者らは、濾胞Ｂ細胞および成熟ＤＣの密度が相互におよびそれらの予後値と相関するかどうかを検討した。たとえ濾胞Ｂ細胞の密度の全体的な増加が成熟ＤＣの密度の全体的な増加と関連したとしても、これらの２つのパラメーターは統計的に互いに関係せず（Ｒ２＝０．１２２４）、それらの相互の独立性を示唆していることを図３Ａに示す。本発明者らは次に、単変量解析によって単独または成熟ＤＣと組み合わせた濾胞Ｂ細胞の予後値を検討した。高密度の濾胞Ｂ細胞（高Ｆｏｌｌ−ＣＤ２０）の患者の間で４年疾患特異的生存率は９７％であり、低密度の濾胞Ｂ細胞（低Ｆｏｌｌ−ＣＤ２０）の患者の間では６５％であった（図３Ｂ）。したがって、高Ｆｏｌｌ−ＣＤ２０の患者は、低Ｆｏｌｌ−ＣＤ２０の患者よりも生存期間が長く（Ｐ＝０．００９９）、濾胞Ｂ細胞数が予後良好と関連したことを実証している。高Ｆｏｌｌ−ＣＤ２０腫瘍の患者と低Ｆｏｌｌ−ＣＤ２０腫瘍の患者との間で、識別できる臨床特徴（性別、年齢、喫煙歴）、腫瘍の特徴（腫瘍の分化度、ｐＴＮＭ悪性度分類、線維化、壊死、および増殖性腫瘍細胞）、または組織学的特徴はなかった（表１）。ＤＣ−Ｌａｍｐ＋成熟ＤＣの密度について類似の結果が得られ（図３Ｃ）、これは、両方のプロフェッショナル抗原提示細胞が生存期間を予測したことを示している。本発明者らは、次に、「高ＤＣ−Ｌａｍｐ」腫瘍の患者および「高Ｆｏｌｌ−ＣＤ２０」腫瘍の患者が同じであったかどうか、ならびに反対に「低ＤＣ−Ｌａｍｐ」腫瘍の患者および「低Ｆｏｌｌ−ＣＤ２０」腫瘍の患者についても同じであったかどうかを試験した。患者７４人のうち、患者３１人（患者の４２％）は「高ＤＣ−Ｌａｍｐ」腫瘍群および「高Ｆｏｌｌ−ＣＤ２０」腫瘍群の両方に属し、１７人（患者の２３％）は「低ＤＣ−Ｌａｍｐ」腫瘍群および「低Ｆｏｌｌ−ＣＤ２０」腫瘍群の両方に属し、２６人（患者の３５％）は混合型であった。「混合型Ｆｏｌｌ−ＣＤ２０／ＤＣ−Ｌａｍｐ」と呼ばれるこの混合型群の中で、患者２１人は「高ＤＣ−Ｌａｍｐ」腫瘍および「低Ｆｏｌｌ−ＣＤ２０」腫瘍を有し、患者５人は「低ＤＣ−Ｌａｍｐ」腫瘍および「高Ｆｏｌｌ−ＣＤ２０」腫瘍を有すると特徴づけられた。この非重複群の存在は、これら２つのパラメーターの間の独立性に味方するものである。混合型群の各部分群内の患者数が限られることから、本発明者らはこれらの患者２６人を特有の群に入れることを決心した。カプラン−マイヤー曲線は、「高Ｆｏｌｌ−ＣＤ２０／ＤＣ−Ｌａｍｐ」の患者の１００％が４８ヶ月の経過観察後に生存していた（患者３１人の間で事象なし）ことを示した（図３Ｄ）。本発明者らは、腫瘍内の成熟ＤＣおよび濾胞Ｂ細胞の両方が低密度の患者（「低Ｆｏｌｌ−ＣＤ２０／ＤＣ−Ｌａｍｐ」群）が、４８ヶ月後の生存患者が３８％と、非常に予後不良であったことを見出した（患者１７人中６事象）。「混合型Ｆｏｌｌ−ＣＤ２０／ＤＣ−Ｌａｍｐ」腫瘍を有する患者の生存曲線は、これらの２つの曲線の間で、生存患者が８６％であった（患者２６人中３事象）。「低Ｆｏｌｌ−ＣＤ２０／ＤＣ−Ｌａｍｐ」腫瘍を有する患者に関してのみ疾患特異的生存期間中央値に到達した（４２ヶ月、Ｐ＜０．００９９）。
【００５５】
結論として本発明者らは、腫瘍浸潤濾胞Ｂ細胞の密度が初期ＮＳＣＬＣにおける疾患特異的生存期間を高度に予測することを実証した。各細胞型の密度に比べ、成熟ＤＣと濾胞Ｂ細胞とを組み合わせると、全く無事象の患者群および最も多い事象を有する群の同定が可能になる。
【００５６】
実施例２
１  ネオアジュバント化学療法によって処置された患者における濾胞Ｂ細胞および成熟樹状細胞の予後値
初期ＮＳＣＬＣを有する患者の５年生存率は７０％であり、末期転移性ＮＳＣＬＣでは１５％に低下する。研究から、２剤組み合わせが単剤処置よりも有効であることが示された（Schiller et al., 2000）。現在、北米およびヨーロッパの多くの病院で進行型ＮＳＣＬＣを有する患者はネオアジュバント多剤化学療法（シスプラチン＋ゲムシタビンまたはカルボプラチン＋パクリタキセル）を受けている（Bunn et al., 2002 ; Rosell et al., 2002）。今や、ますます多くの初期肺ガン患者もネオアジュバント化学療法を受けている。２剤組み合わせの奏功率は、進行型ＮＳＣＬＣで２０〜３０％の間である。最近の報告は、細胞傷害薬が腫瘍細胞をターゲティングするだけでなく、腫瘍の微小環境内で免疫応答の発生を促進することによって腫瘍のコントロールを間接的に促進することができると示している（Zitvogel et al., 2008に総説）。
【００５７】
肺ガンは、腫瘍細胞および間質成分、すなわち脈管構造、結合組織および免疫浸潤細胞を含有する。免疫細胞浸潤物のうちの一部は、ＤＣ、Ｂ細胞およびマクロファージのように、プロセッシングされた抗原の提示を専門とする。近年、本発明者らは、異なるＤＣサブセット（上皮ランゲルハンス細胞、間質性ＤＣおよび成熟ＤＣ）の密度が、ＮＳＣＬＣ患者における転帰良好と関連したことを示した（Dieu-Nosjean et al., 2008; Fridman et al., 2011）。今回、本発明者らは成熟ＤＣの密度が、ネオアジュバント化学療法によって処置された進行型ＮＳＣＬＣ患者についての長期生存とさらに相関することを示す（ｎ＝患者５６人、Ｐ＝０．０３７３、図４参照）。
【００５８】
Ｔｉ−ＢＡＬＴは化学療法によって処置された患者に存在するので、別の抗原提示細胞集団であるＢ細胞の密度が、化学療法によって処置された患者の転帰と関連する可能性がある。Ｂ細胞の密度は、２剤組み合わせの種類によっても影響されうる。したがって、Ｂ細胞マーカーは処置に対する臨床応答と相関するであろう。このバイオマーカーは、処置に応答するであろう患者と、応答しないであろう患者とを識別するために使用することができ、したがってより合理的でターゲティングされた治療計画が可能になる。
【００５９】
実施例３
本実施例において本発明者らは、濾胞Ｂ細胞、成熟ＤＣ、または両方の種類の免疫細胞の組み合わせのいずれかの予後値を、進行期ＮＳＣＬＣ有しネオアジュバント化学療法によって処置された患者１２２人の後ろ向き研究において評価した。本発明者らは、各免疫パラメーターの密度が転帰良好と相関したことを実証した。カプラン−マイヤー曲線から、ＣＤ２０＋濾胞Ｂ細胞の密度がより長い全生存期間と関連したことが示された（ＯＳ、Ｐ＝０．００７）（図５Ａ）。高Ｆｏｌｌ−ＣＤ２０腫瘍を有すると特徴づけられた患者について、ＯＳ中央値は５５ヶ月であり、一方、低Ｆｏｌｌ−ＣＤ２０腫瘍を有する患者についてＯＳ中央値は１８ヶ月であった。ＤＣ−Ｌａｍｐ＋成熟ＤＣの密度も、より良好な臨床転帰と相関した（図５Ｂ、Ｐ＝０．０４）。高ＤＣ−Ｌａｍｐ腫瘍を有する患者について、ＯＳ中央値は５５ヶ月であり、低ＤＣ−Ｌａｍｐ腫瘍を有する患者についてＯＳ中央値は２４ヶ月であった。
【００６０】
Ｆｏｌｌ−ＣＤ２０およびＤＣ−Ｌａｍｐが患者の生存期間にポジティブに影響するので、本発明者らは各マーカーの高／低密度別に患者を３群に層別化した（高Ｆｏｌｌ−ＣＤ２０／ＤＣ−Ｌａｍｐ、混合型Ｆｏｌｌ−ＣＤ２０／ＤＣ−Ｌａｍｐ、および低Ｆｏｌｌ−ＣＤ２０／ＤＣ−Ｌａｍｐ）。両種類の免疫集団を高密度で有する患者は、死亡リスクが低かった（ＯＳ中央値に到達しなかった）（図５Ｃ、Ｐ＝０．００３）。濾胞Ｂ細胞および成熟ＤＣの両方を低密度で有する患者は、死亡のリスクが非常に高く（ＯＳ中央値は１８ヶ月であった）、このことは、両方の免疫マーカーを組み合わせることで、化学療法にかかわらず非常に転帰不良の患者副集団を同定することが可能であることを実証している。「混合型Ｆｏｌｌ−ＣＤ２０／ＤＣ−Ｌａｍｐ」腫瘍を有する患者は、死亡のリスクが中等度であった（ＯＳ中央値は３４ヶ月であった）。
【００６１】
これらのデータは、単変量解析に基づいた（表３）が、各免疫細胞型の密度が、化学療法によって処置された患者の生存期間と高度に関連することを示している（Ｆｏｌｌ−ＣＤ２０ではハザード比（ＨＲ）＝０．４１およびＰ＝０．０００９５；ＤＣ−ＬａｍｐではＨＲ＝０．５０およびＰ＝０．００７２１）。より関心がもたれることに、両方のバイオマーカーの組み合わせは、標準的な臨床パラメーターよりも良好な生存期間予測変数であった（ＨＲ＝０．５０、Ｐ＝０．００００９７）。
【００６２】
まとめると、本発明者らは、ＣＤ２０マーカーとＤＣ−Ｌａｍｐマーカーとを組み合わせることで、ネオアジュバント化学療法によって処置された進行期ＮＳＣＬＣ患者の間で死亡リスクが非常に高い患者を識別することができることを実証した。
【００６３】
参考文献
本出願にわたり、本発明が属する技術の現状を様々な参考文献が説明している。これらの参考文献の開示は、これによって参照により本開示に組み入れられる。
【表４】
2015505608.tif 000005
2015505608.tif 000006
【図１−１】
2015505608.tif 000007
【図１−２】
2015505608.tif 000008
【図２Ａ】
2015505608.tif 000009
【図２Ｂ】
2015505608.tif 000010
【図２Ｃ】
2015505608.tif 000011
【図３Ａ】
2015505608.tif 000012
【図３Ｂ】
2015505608.tif 000013
【図３Ｃ】
2015505608.tif 000014
【図３Ｄ】
2015505608.tif 000015
【図４】
2015505608.tif 000016
【図５】
2015505608.tif 000017
【国際調査報告】
2015505608.tif 000018
2015505608.tif 000019
2015505608.tif 000020